(57)【要約】【課題】本発明は、机の脚装置に係り、詳しくは、机単体で使用する場合の天板としての使用可能面積と、書棚と組み合わせて使用する場合の天板としての使用可能面積の変化に対応して、机に取り付けられる脚体の取り付け位置を変化させる得る机の脚装置に関するもので、簡単な構成で、容易な作業で、作業スペースも特別に必要とせず、必要に応じて、学習等の執務スペース（天板の使用可能面積）を変える事が容易な机の脚装置を提供することを課題とするものである【解決手段】天板左右端部下面に位置して、天板本体部の両側部を左右脚体で支持した机の脚装置であって、左右脚体は天板本体部の前方を支持する左右前側脚部材と、天板本体部の後方を支持する左右後側脚部材からなり、左右後側脚部材は、天板本体部との取り付け位置を前後に変更することによって、左右脚体の前後方向の寸法を変更可能としたものである。【選択図】図１３
2014004001.tif 000002
【特許請求の範囲】
【請求項１】
天板左右端部下面に位置して、天板本体部の両側部を左右脚体で支持した机の脚装置であって、左右脚体は天板本体部の前方を支持する左右前側脚部材と、天板本体部の後方を支持する左右後側脚部材からなり、左右後側脚部材は、天板本体部との取り付け位置を前後に変更することによって、左右脚体の前後方向の寸法を変更可能としたことを特徴とする机の脚装置
【請求項２】
左右後側脚部材は、天板本体部の両側面に、左右後側脚部材の外側面からネジ止めされていることを特徴とする請求項１に記載の脚装置。
【請求項３】
左右後側脚部材は、左右別々に前後の取り付け位置が変更可能とされていることを特徴とする請求項２に記載の脚装置。
【請求項４】
左右後側脚部材は、左右同一に形成されていることを特徴とする請求項３に記載の脚装置。
【請求項５】
左右後側脚部材が天板本体部の後側に位置して取り付けられた状態で、左右前側脚部材と左右後側脚部材間で、左右スペーサー部材が天板本体部に着脱自在に取り付けられていることを特徴とする請求項４に記載の脚装置。
【請求項６】
左右後側脚部材が、天板本体部の前側寄りで、左右前側脚部材の後側に近接して取り付けられた状態で、左右後側脚部材の後方で、左右スペーサー部材が天板本体部に着脱自在に取り付けられていることを特徴とする請求項５に記載の脚装置。
【請求項７】
左右後側脚部材の後方で天板本体部に取り付けられた左右スペーサー部材は、天板本体部の後部が左右書棚側板間に嵌入して書棚と連結された状態で、天板本体部と左右書棚側板内面との隙間を埋める書棚用左右スペーサー部材となることを特徴とする請求項６に記載の脚装置。
【発明の詳細な説明】
【技術分野】
【０００１】
本発明は、机の脚装置に係り、詳しくは、机単体で使用する場合の天板としての使用可能面積と、書棚と組み合わせて使用する場合の天板としての使用可能面積の変化に対応して、机に取り付けられる脚体の取り付け位置を変化させ得る机の脚装置に関するものである。
【背景技術】
【０００２】
従来、家庭等の勉強部屋や書斎等の執務空間で使用される机において、学習効率の向上や、使い勝手の向上を目的として、学習に使用する書籍、参考書、教科書等を整理収納しておく書棚が、机に近接して置かれる場合がある。
さらに、机には使用者が成長することによる体格に変化、使用環境の変化等により、机本体の天板の使用可能面積を変えたい（広くしたい）という要望もあった。
すなわち、近接された書棚（書棚の棚板）と組み合わせて机本体の天板としての使用可能面積を広げるもの（例えば、特許文献１参照。）、あるいは、机本体に設けた補助天板を使用して、机本体の天板の使用可能面積を広げるもの（例えば、特許文献２参照。）が提供されている。
【０００３】
前者の場合、机を書棚と組み合わせる際に机の左右足部の突部が書棚の底板と干渉しないよう、書棚の底板を床面から一定寸法持ち上げた位置で支持するため、机の左右足部の突部と干渉しない位置で、底板下面に一対の足を構成しなければならない。
すなわち、部品点数の増加がコストアップにつながるだけでなく、底板を床面から一定寸法持ち上げたことにより、収納量の減少につながる問題もあった。
また、後者の場合、補助天板を使用して天板の使用可能面積を広げる場合、天板の両側部を脚体で支持し、脚体の下端に位置を変更しない固定的な第１接地部材と、前後の取付位置が変更可能な第２設置部材を設け、補助天板を使用して天板の使用可能面積を広げる場合、机全体のバランスを図るため（安定性を確保するため）、脚体の下端から第２設置部材を後方に突出させて取り付けるようにしている。
すなわち、第２接地部材の前後の取付位置を変更する場合、机を天地反転あるいは傾倒させなければならず、その作業スペースの確保、さらには机を反転あるいは傾倒させる作業が重労働であり、手間のかかるものであった。
【先行技術文献】
【特許文献】
【０００４】
【特許文献１】特許第４７８７１９３号公報
【特許文献２】特開２０１１−１７２９７８号公報
【発明の概要】
【発明が解決しようとする課題】
【０００５】
本願発明は、このような問題に鑑み、簡単な構成で、容易な作業で、作業スペースも特別に必要とせず、必要に応じて、学習等の執務スペース（天板の使用可能面積）を変える事が容易な机の脚装置を提供することを課題とするものである。
【課題を解決するための手段】
【０００６】
そこで、上記課題を解決する為、本発明が第１の手段として構成したところは、天板左右端部下面に位置して、天板本体部の両側部を左右脚体で支持した机の脚装置であって、左右脚体は天板本体部の前方を支持する左右前側脚部材と、天板本体部の後方を支持する左右後側脚部材からなり、左右後側脚部材は、天板本体部との取り付け位置を前後に変更することによって、左右脚体の前後方向の寸法を変更可能としたものである。
【０００７】
次に上記課題を解決する為、本発明が第２の手段として構成したところは、第１の手段とした構成に加え、左右後側脚部材は、天板本体部の両側面に、左右後側脚部材の外側面からネジ止めされているものである。
【０００８】
次に上記課題を解決する為、本発明が第３の手段として構成したところは、第１、第２の手段とした構成に加え、左右後側脚部材は、左右別々に前後の取り付け位置が変更可能とされているものである。
【０００９】
次に上記課題を解決する為、本発明が第４の手段として構成したところは、第１、第２、第３の手段とした構成に加え、左右後側脚部材は、左右同一に形成されているものである。
【００１０】
次に上記課題を解決する為、本発明が第５の手段として構成したところは、第１、第２、第３、第４の手段とした構成に加え、左右後側脚部材が天板本体部の後側に位置して取り付けられた状態で、左右前側脚部材と左右後側脚部材間で、左右スペーサー部材が天板本体部に着脱自在に取り付けられているものである。
【００１１】
次に上記課題を解決する為、本発明が第６の手段として構成したところは、第１、第２、第３、第４、第５の手段とした構成に加え、左右後側脚部材が、天板本体部の前側寄りで、左右前側脚部材の後側に近接して取り付けられた状態で、左右後側脚部材の後方で、左右スペーサー部材が天板本体部に着脱自在に取り付けられているものである。
【００１２】
次に上記課題を解決する為、本発明が第７の手段として構成したところは、第１、第２、第３、第４、第５、第６の手段とした構成に加え、左右後側脚部材の後方で天板本体部に取り付けられた左右スペーサー部材は、天板本体部の後部が左右書棚側板間に嵌入して書棚と連結された状態で、天板本体部と左右書棚側板内面との隙間を埋める書棚用左右スペーサー部材となるものである。
【発明の効果】
【００１３】
第１の手段として構成したところによると、左右後側脚部材は、天板本体部との取り付け位置を前後に変更することによって、脚体の前後方向の寸法を変更可能としたので、机を単体で独立して使用するときは、左右後側脚部材を天板本体部の後側に取り付けることにより、脚体の前後方向の寸法を大きくすることにより、天板本体部を安定よく支持することができ、書棚と組み合わせて使用するときは、左右後側脚部材を天板本体部の前側に取り付けることによって、書棚の棚板前端と天板本体部の天板後端を面一な状態で当接させても、左右後側脚部材の後端が書棚の底板等に干渉することがないので、天板の使用可能面積を拡大して使用することができる。
【００１４】
さらに、天板左右端部下面に位置して、天板本体部の両側部を左右脚体で支持し、左右脚体は天板本体部の前方を支持する左右前側脚部材と、天板本体部の後方を支持する左右後側脚部材にて構成しているので、左右後側脚部材と天板本体部の連結作業は、天板左右端部下面（脚体の上端部）で行われ、連結状態が解除されても、脚体上端に天板左右端部が載置された状態が維持されるので、従来のように、左右後側脚部材の位置変更時に机を天地反転させる必要がなく、左右後側脚部材の前後方向の移動、連結作業は容易である。
【００１５】
第２の手段として構成したところによると、上記効果に加え、左右後側脚部材は、天板本体部の両側面に、左右後側脚部材の外側面からネジ止めされているものであるから、連結作業時に机の下にもぐりこんだりする必要がなく、ほぼ起立姿勢で、側面から行えるので作業が非常に容易である
【００１６】
第３の手段として構成したところによると、上記効果に加え、右後側脚部材と天板本体部の連結状態を解除しても、机は３本脚（左右前側脚部材と左後側脚部材）で立設状態を維持しているので、机を支えておく必要がなく、左右後側脚部材の取り付け位置変更作業は、一人でも容易に行うことができる。
【００１７】
第４の手段として構成したところによると、上記効果に加え、左右後側脚部材は、左右同一に形成されているので、量産効果によってコストダウンが図れ、組立作業で左右を間違えることもない。
【００１８】
第５の手段として構成したところによると、上記効果に加え、左右後側脚部材が天板本体部の後側に位置して取り付けられた状態で、左右前側脚部材と左右後側脚部材間で、左右スペーサー部材が天板本体部に着脱自在に取り付けられているので、左右前後側脚部材の上部間の側面に無用な凹凸ができず（側面が前後方向に渡って面一となり）、フックなどを取り付けた場合、フックに吊り下げられた（例えばランドセル）物品の収まりがよく、机としての見栄えもよい。
【００１９】
第６の手段として構成したところによると、上記効果に加え、左右後側脚部材が、天板本体部の前側よりで、左右前側脚部材の後側に近接して取り付けられた状態で、左右スペーサー部材は、左右後側脚部材の後方の邪魔にならない位置に取り付けられているので、机の機能を損なうこともなく、又、紛失することもない。
【００２０】
第７の手段として構成したところによると、上記効果に加え、左右スペーサー部材は、左右書棚側板間に天板本体部の後部が嵌入して書棚と連結された状態で、天板本体部と左右書棚側板間との隙間を埋める書棚用左右スペーサー部材となるから、異なった機能を持つ部材として活用できるので、新らたな部品が不要でコストダウンが図れる。
【図面の簡単な説明】
【００２１】
【図１】机の正面図。
【図２】机の側面図。
【図３】引き出しを外した状態での天板本体部の拡大正面図
【図４】引き出しを外した状態での天板本体部の拡大側面図。
【図５】右前側脚部材の拡大側面図。
【図６】右後側脚部材の拡大側面図。
【図７】右スペーサー部材図の拡大側面図。
【図８】図１のＡ−Ａ線拡大断面図。
【図９】左右後側脚部材を前側に取り付けた状態の机の側面図。
【図１０】書棚の正面図。
【図１１】書棚の側面図。
【図１２】図１０のＢ−Ｂ線断面図。
【図１３】机と書棚を組み合わせた状態の要部拡大断面図。
【発明を実施するための形態】
【００２２】
本発明は、天板左右端部下面に位置して、天板本体部の両側部を左右脚体で支持した机の脚装置であって、左右脚体は天板部の前方を支持する左右前側脚部材と、天板本体部の後方を支持する左右後側脚部材からなり、左右後側脚部材は、天板本体部との取り付け位置を前後に変更することによって、左右脚体の前後方向の寸法を変更可能とし、左右後側脚部材は、天板本体部の両側面に左右後側脚部材の外側面からネジ止めされると共に、左右別々に前後の取付位置が変更可能で、左右同一に形成され、左右後側脚部材が天板本体部の後側に位置して取り付けられた状態で、左右スペーサー部材は、左右前側脚部材と左右後側脚部材間で、天板本体部に着脱自在に取り付けられ、左右後側脚部材が、天板本体部の前側寄りで、左右前側脚部材の後側に近接して取り付けられた状態で、左右後側脚部材の後方で、天板本体部に着脱自在に取り付けられ、左右後側脚部材の後方で天板本体部に取り付けられた左右スペーサー部材は、左右書棚側板間に天板本体部の後部が嵌入して書棚と連結された状態で、天板本体部と左右書棚側板内面との隙間を埋める書棚用左右スペーサー部材となるものである。
【実施例１】
【００２３】
第１実施例を、添付図面に基づいて詳述する。
符号１は机を示し、机１は天板本体部１０と、天板本体部１０の左右端部側に連結ネジ１００・・・にて連結された左右脚体２、２より構成されている。
そして、左右脚体２、２は、左右前側脚部材２１、２１と、左右後側脚部材２２、２２より構成されている。
符号２０は左右後側脚部材２２、２２を連結する脚体補強材を示し、符号３は（図１０に示す。）、机１が連結可能な自立形の書棚を示している。
【００２４】
天板本体部１０は、図３、図４に示すように、方形板状の天板１１と、天板１１の左右端部のやや内側下面で、前後方向（奥行き方向）ほぼ全幅にわたって配設された左右天板側板１２、１２と、左右天板側板１２、１２間のほぼ中央部で、前後方向にわたって配設され、左右天板側板１２、１２よりやや短い長さの天板中央支持桟１３と、天板中央支持桟１３の後端面と、左右天板側板１２、１２の後端部よりの内面を連結する、左右方向（幅方向）に渡って配設された天板後補強材１４（図８に示す。）と、左右天板側板１２、１２と天板中央支持桟１３の前後方向のほぼ中央部下面と連結され、左右方向（幅方向）に渡って配設された、前後方向に所定の幅を有する天板底補強材１５より構成されている。
【００２５】
そして、左右天板側板１２、１２の内面と、天板中央支持桟１３の外面には引き出し支持用部材（レール部材等、図示せず。）が設けられ、天板１１の下方で左右の引き出し１６、１６を前後方向で出入自在に支持している。
左右の引き出し１６、１６は同形に形成され、天板本体部１０に収納された状態で、内箱１６１（図８に示す。）の前端に連結された正面板１６２の前面は、左右天板側板１２、１２の前面とほぼ面一となる。
【００２６】
又、左右天板側板１２、１２は、対向した同形に形成されているので右天板側板１２についてのみ説明する。
右天板側板１２の外側（幅方向の外側）に突出する天板１１の右端部下面には、前記右前側脚部材２１、右後側脚部材２２を連結するための右前脚連結用ダボ孔１１０、１１０と、右後脚連結用ダボ孔１１１、１１１が形成され、右前脚連結用ダボ孔１１０、１１０と、右後脚連結用ダボ孔１１１、１１１間には、右後側脚部材２２を前側で連結するため右後脚前側連結用ダボ孔１１２、１１２が形成されている。
そして、各ダボ孔１１０、１１０、１１１、１１１、１１２、１１２間の前後寸法と、その大きさは同一に形成されている。
【００２７】
一方、右天板側板１２の外面下部には、前記各ダボ孔１１０、１１０、１１１、１１１、１１２、１１２の下方に位置して、前後間寸法と大きさが同一の右前脚連結用螺孔１２０、１２０と、右後脚連結用螺孔１２１、１２１と、右スペーサー連結用螺孔１２２、１２２が形成され、さらに、前側が、右後脚連結用螺孔１２１、１２１間に位置し、後側が、後側の右後脚連結用螺孔１２１の後方に位置して、右スペーサー連結用螺孔１２２、１２２間の前後間寸法と大きさが同一の書棚用右スペーサー連結用螺孔１２３、１２３が形成されている。
【００２８】
左右脚体２、２の左右前側脚部材２１、２１は対向した同形に形成されているので、一方側のみ説明する。
右前側脚部材２１は、右前脚連結部２１１と、右前脚連結部２１１の後端から下方前側に傾斜突出する右前側傾斜脚体２１０より略７の字形で、右天板側板１２の外側に連結された状態で、天板１１の右端面とほぼ面一となる厚みに形成されている。
そして、右前脚連結部２１１の側面には、前記右前脚連結用螺孔１２０、１２０に対応して、左右方向に貫通する右前脚連結孔２１２、２１２が形成され、上端面には、右前脚連結用ダボ孔１１０、１１０に嵌合する右前脚連結用ダボ２１３、２１３が上方に突出して設けられている。
【００２９】
左右脚体２、２の左右後側脚部材２２、２２は同形に形成されているので、一方側のみについて説明する。
右後側脚部材２２は、右後脚連結部２２１と、右後脚連結部２２１の前端から下方後側に傾斜突出する右後側傾斜脚体２２０より左右方向で略逆７の字形で、右天板側板１２の外側に連結された状態で、天板１１の右端面とほぼ面一となる厚みに形成されている。
そして、右後脚連結部２２１の側面には、前記右後脚連結用螺孔１２１、１２１に対応して、左右方向に貫通する右後脚連結孔２２２、２２２が形成され、上端面には、後右脚連結用ダボ孔１１１、１１１に嵌合する右後脚連結用ダボ２２３、２２３が上方に突出して設けられ、右後側傾斜脚体２２２には左右方向に貫通し、脚体補強材２０が連結される脚体補強材用右連結孔２２４、２２４が形成されている。
【００３０】
左右スペーサー部材５、５は同形に形成されているので、一方側のみについて説明する。右前後側脚部材２１、２２が、右前脚連結用螺孔１２０、１２０、右後脚連結用螺孔１２１、１２１に連結された状態で、右スペーサー部材５は、前後端面が右前側脚部材２１の後端面及び右後側脚部材２２の前端面に近接する程度の前後寸法で、右前後脚連結部２１１、２２１の高さ寸法に等しく、右天板側板１２の外側に連結された状態で、天板１１の右端面とほぼ面一となる厚みに形成されている。
そして、右天板側板１２の右スペーサー連結用螺孔１２２、１２２に対応して、左右方向に貫通する右スペーサー連結孔５１、５１が形成されている。
【００３１】
書棚３は、左右に所定間隔（天板本体部１０の後部が嵌入可能な間隔）を有して立設された左右書棚側板３１、３１と、左右書棚側板３１、３１の後端部間に配設された書棚背板３２と、左右書棚側板３１、３１、及び、書棚背板３２の下端部間に配設された書棚底板３３と、書棚底板３３の前端部下面で左右書棚側板３１、３１の前端部下端間に配設された書棚底前板３３１と、上書補強部材３０・・・と、中央固定棚３４（図１２に図示）と、書棚中央区画板３５と、閉塞部材３６等より構成されている。
【００３２】
尚、符号３７、３７は、左右書棚側板３１、３１間に配設された固定棚板を示し、符号３７１・・・は、固定棚板３７、３７上に左右に移動自在に設けられた移動仕切り板を示し、符号３７２は固定仕切り板を示し、符号３８、３８は、左右書棚側板３１、３１と書棚中央区画板３５間に配設された自在棚板を示している。
【００３３】
そして、上書補強部材３０・・・は、左右書棚側板３１、３１の後端部間で書棚背板３２の上方に位置し、上下方向に所定間隔を有して配設され、中央固定棚３４は、奥行き寸法が左右書棚側板３１、３１の奥行きの半分弱の寸法で、左右書棚側板３１、３１の後端部間に、机１の天板１１と同一高さに配設され、書棚中央区画板３５は、後部上端が中央固定棚３４の下面と連結され、後端面が書棚背板３２と連結され、下端面が書棚底板３３と連結され、前部上端に天板本体部載置用段部３５０が形成され、左右書棚側板３１、３１の幅方向中央部に配設されている。
【００３４】
また、閉塞部材３６は、前記天板載置用段部３５０を閉塞する段部閉塞板３６１と、段部閉塞板３６１の上端面と連結され、前記中央固定棚３４の前側で、同一高さに位置し、差左右端部が、左右書棚側板３１、３１の内面と連結される閉塞用棚板３６２から、扁平Ｔ字形に形成され、左右書棚側板３１、３１間に着脱自在に配設されている。
すなわち、閉塞部材３６が左右書棚側板３１、３１間に取り付けられた状態で、閉塞用棚板３６２と中央固定棚３４は上面が面一となった固定棚板を構成し、書棚３の棚板としての機能している。
【００３５】
本発明は上記の如く構成され、机１、書棚３をそれぞれ独立した状態で使用する場合、書棚３は、閉塞部材３６で、天板載置用段部３５０と中央固定棚３４の前側を閉塞して、所定寸法の固定棚板を有するものとして使用される。
一方、机１は、左右前側脚部材２１、２１と、左右後側脚部材２２、２２の左右前脚連結用ダボ２１３・・・、左右後脚連結用ダボ２２３・・・を、左右前脚連結用ダボ孔１１０・・・、右後脚連結用ダボ孔１１１・・・に下方から嵌合して、左右前脚連結用螺孔１２０・・・に左右前脚連結孔２１２・・・を、左右後脚連結用螺孔１２１・・・に、左右後脚連結孔２２２・・・を一致させ、連結ネジ１００・・・にて天板本体部１０と左右の脚体２、２が連結される。
【００３６】
次に、左右スペーサー連結用螺孔１２２・・・と左右スペーサー連結孔５１・・・を一致させ、連結ネジ１００・・・にて天板本体部１０と左右スペーサー部材５、５を連結し、さらに、左右後側脚部材２２、２２間に、机１の左右方向の揺れ防止する脚体補強材２０を連結ネジ１００にて連結し、所定の天板面積を有する机１として使用される。
【００３７】
一方、机１を書棚３と組み合わせて、天板使用可能面積の広い机として使用するときは、書棚３は、閉塞部材３６が取り外されて天板載置用段部３５０が露呈した状態とされる。一方、上記机１から左右スペーサー部材５、５を取り外し、左右後側脚部材２２、２２を左右天板側板１２、１２の左右スペーサー連結用螺孔１２２・・・と連結された奥行きの浅い左右脚体２，２を有する机１を形成する。
【００３８】
次ぎに、上記机１の天板本体部１０に、取り外された左右スペーサー部材５、５の前側の左右スペーサー連結孔５１、５１と、前側の書棚用左右スペーサー連結用螺孔１２３、１２３を一致させて連結ネジ１００、１００にて左右スペーサー部材５、５を左右天板側板１２、１２の後端部に連結する。
この状態で、後側の書棚用左右スペーサー連結用螺孔１２３、１２３と、後側の左右スペーサー連結孔５１、５１は一致した状態となっている。
【００３９】
次ぎに、上記の状態の天板本体部１０の後部を、左右書棚側板３１、３１間に差し込んで、天板１１の後端面を中央固定棚３４の前端面に当接し、同時に天板後補強材１４を天板本体部載置用段部３５０に載置する。
この状態で、左右書棚側板３１、３１に形成された左右方向に貫通する左右天板本体部用連結孔３１０、３１０（図１１に示す。）と、書棚用左右スペーサー連結用螺孔１２３、１２３及び左右スペーサー連結孔５１、５１は一致し、連結ネジ１００・・・にて、左右スペーサー部材５、５を介して、左右書棚側板３１、３１（書棚３）と机本体部１０（机１）が連結される。
【００４０】
この状態で天板１１の後方に中央固定棚３４が面一で一体的に配設された状態となるので、実質的な天板使用可能面積は拡大したこととなる。
そして、机１の左右脚体２、２は奥行きの浅い左右脚体２、２となっているので、左右後側脚部材２２、２２の左右後側傾斜脚体２２２、２２２の下端部後端面が、書棚３の書棚底前板３３１に衝突することがない。
また、左右書棚側板３１、３１（書棚３）と机本体部１０（机１）が連結されているので、机１の左右方向の揺れが抑えられる。したがって、脚体補強材２０を外した状態で机１を使用することができるので、奥行きの浅い状態の左右脚体２，２でも、天板本体部１０の下方に移動式ワゴンなどを収めることが可能となる。
【００４１】
上記使用状態で、左右スペーサー部材５、５は、書棚３の左右書棚側板３１、３１内面と天板本体部１０との隙間を埋める書棚用左右スペーサー部材となるから、異なった機能を持った部材として活用できるので、新らたなの部品が不要でコストダウンが図れる。
又、実施例では、左右スペーサー部材５、５は同形に形成されているので、左右スペーサー部材５、５として使用される状態で、左右天板側板１２、１２の表面を傷つけないよう、内面所定位置にフェルト等の緩衝材を貼り付けて使用されている場合は、書棚用左右スペーサー部材として使用するときは、書棚３が傷つかないように、緩衝材が左右書棚側板３１、３１側に位置するよう裏返して使用することも可能である。
さらに、左右後側脚部材２２、２２と天板本体部１０との連結、取り外しのとき、脚体補強材２０を取り外して行うことで、左右後側脚部材２２、２２の連結、取り外し作業はそれぞれ別々に行うことができる。
【産業上の利用可能性】
【００４２】
以上のように、本発明は、簡単な構成であるから、容易な作業で、組み換えの作業スペースも特別に必要とせず、必要に応じて、学習等の作業スペース（天板の使用可能面積）を変える事が容易な机の脚装置に関するもので、家庭等の勉強部屋や書斎等の執務空間で広く利用することができる。
【符号の説明】
【００４３】
１                机
１０              天板本体部
１００            連結ネジ
１１              天板
１２、１２        左右天板側板
２、２            左右脚体  
２１、２１        左右前側脚部材
２２、２２        左右後側脚部材
３                書棚
３１、３１        左右書棚側板
５、５            左右スペーサー部材（書棚用左右スペーサー部材）
【図１】
2014004001.tif 000003
【図２】
2014004001.tif 000004
【図３】
2014004001.tif 000005
【図４】
2014004001.tif 000006
【図５】
2014004001.tif 000007
【図６】
2014004001.tif 000008
【図７】
2014004001.tif 000009
【図８】
2014004001.tif 000010
【図９】
2014004001.tif 000011
【図１０】
2014004001.tif 000012
【図１１】
2014004001.tif 000013
【図１２】
2014004001.tif 000014
【図１３】
2014004001.tif 000015